(57)【要約】【課題】小型化・薄型化を実現することのできるアンテナ装置、アンテナ装置の製造方法及びこのようなアンテナ装置を備える電子機器を提供する。【解決手段】アンテナ装置５０は、コア５１、このコア５１が収納されたコアケース部５２、このコアケース部５２に巻回されたコイル５３をそれぞれ有するアンテナ構造体５と、このアンテナ構造体５を収納したアンテナケース部１５を備えている文字板１とからなる。【選択図】図８
2008141387.tif 000002
【特許請求の範囲】
【請求項１】
装飾板と、
コアと、このコアが収納されたコアケース部と、このコアケース部に巻回されたコイルとをそれぞれ有するアンテナ構造体と、
前記装飾板と一体に形成され、前記アンテナ構造体を収納したアンテナケース部と、
を備えていることを特徴とするアンテナ装置。
【請求項２】
装飾板と、
コアと、このコアに巻回されたコイルとを有するアンテナ構造体と、
前記装飾板と一体に形成され、前記アンテナ構造体を収納したアンテナケース部と、
を備えていることを特徴とするアンテナ装置。
【請求項３】
装飾板と、
この装飾板の視認側とは反対側の面に対向して配置された回路基板と、
コアと、このコアに巻回されたコイルとを有するアンテナ構造体と、
前記装飾板の視認側とは反対側の面に一体に形成された第１のアンテナケース部と、
前記回路基板の前記装飾板と対向する側の面であって前記第１のアンテナケース部に対応する位置に一体に形成された第２のアンテナケース部と、を備え、
前記アンテナ構造体は、前記第１のアンテナケース部と前記第２のアンテナケース部とにより形成された空間内に収納されていることを特徴とするアンテナ装置。
【請求項４】
前記装飾板には、該装飾板と一体に形成されたアンテナケース部の近傍に、磁性シートが配置される磁性シート配置部をさらに備えていることを特徴とする請求項１から請求項３のいずれか一項に記載のアンテナ装置。
【請求項５】
前記磁性シート配置部に、磁性シートを配置したことを特徴とする請求項４に記載のアンテナ装置。
【請求項６】
前記装飾板には、該装飾板と一体に形成されたアンテナケース部の近傍に、副磁路形成用の磁性部材が配置される磁性部材配置部をさらに備えていることを特徴とする請求項１から請求項３のいずれか一項に記載のアンテナ装置。
【請求項７】
前記磁性部材配置部に、副磁路形成用の磁性部材を配置したことを特徴とする請求項６に記載のアンテナ装置。
【請求項８】
コアをコアケース部に収納し、前記コアが収納されたコアケース部にコイルを巻回してアンテナ構造体を形成するアンテナ形成工程と、
このアンテナ形成工程により形成されたアンテナ構造体を、装飾板と一体に形成されたアンテナケース部に収納するケース収納工程と、
を備えていることを特徴とするアンテナ装置の製造方法。
【請求項９】
コアにコイルを巻回してアンテナ構造体を形成するアンテナ形成工程と、
このアンテナ形成工程により形成されたアンテナ構造体を、装飾板と一体に形成されたアンテナケース部に収納するケース収納工程と、
を備えていることを特徴とするアンテナ装置の製造方法。
【請求項１０】
コアにコイルを巻回してアンテナ構造体を形成するアンテナ形成工程と、
このアンテナ形成工程により形成されたアンテナ構造体を、装飾板と一体に形成された第１のアンテナケース部と回路基板と一体に形成された第２のアンテナケース部とにより形成された空間内に収納するケース収納工程と、
を備えていることを特徴とするアンテナ装置の製造方法。
【請求項１１】
前記装飾板に、磁性シートを配置する磁性シート配置工程をさらに備えていることを特徴とする請求項８から請求項１０のいずれか一項に記載のアンテナ装置の製造方法。
【請求項１２】
前記装飾板に、副磁路形成用の磁性部材を配置する磁性部材配置工程をさらに備えていることを特徴とする請求項８から請求項１０のいずれか一項に記載のアンテナ装置の製造方法。
【請求項１３】
請求項１から請求項７のいずれか一項に記載されたアンテナ装置と、
このアンテナ装置が設けられた機器本体と
を備えていることを特徴とする電子機器。
【発明の詳細な説明】
【技術分野】
【０００１】
本発明は、アンテナ装置、アンテナ装置の製造方法及び電子機器に関する。
【背景技術】
【０００２】
従来、時刻情報を含む標準電波を受信して自動的に現在時刻を修正する電波時計等の電子機器が知られている。電波時計において標準電波を受信するアンテナとしては、受信感度のよい磁性材料であるアモルファス金属やフェライト等からなるコアにコイルが巻回されてなるアンテナ構造体が多く用いられている。
【０００３】
このようなアンテナ構造体をアンテナケースの中に収納した上で電子機器の中に搭載する技術が知られている（例えば、特許文献１参照）。
【０００４】
【特許文献１】特開２００６−１５７２９５号公報
【発明の開示】
【発明が解決しようとする課題】
【０００５】
ところで、腕時計型の電波時計の場合には、限られた小さな内容積に各種部品を収納する必要があるため、できるだけ小型化・薄型化を図る必要がある。
この点、特許文献１に記載されているように、他の部品とは別体のケースにアンテナ構造体を収納した上で、そのケースを後から腕時計等の電子機器に組み込むこととすると、ケースの分だけ厚みが必要となり、電子機器が大型化してしまうとの問題がある。
【０００６】
また、他の部品とは別体のケースにアンテナ構造体を収納すると、その分、部品点数が多くなり、組み立て工数が増加して生産性が低下するとの問題もあった。
【０００７】
そこで、本発明は、上記課題を解決するために為されたものであり、部品点数が少なく、小型化・薄型化を実現することのできるアンテナ装置、アンテナ装置の製造方法及びこのようなアンテナ装置を備える電子機器を提供することを目的としている。
【課題を解決するための手段】
【０００８】
このような問題を解決するため、請求項１に記載の発明は、
装飾板と、
コアと、このコアが収納されたコアケース部と、このコアケース部に巻回されたコイルとをそれぞれ有するアンテナ構造体と、
前記装飾板と一体に形成され、前記アンテナ構造体を収納したアンテナケース部と、
を備えていることを特徴としている。
【０００９】
請求項２に記載の発明は、
装飾板と、
コアと、このコアに巻回されたコイルとを有するアンテナ構造体と、
前記装飾板と一体に形成され、前記アンテナ構造体を収納したアンテナケース部と、
を備えていることを特徴としている。
【００１０】
請求項３に記載の発明は、
装飾板と、
この装飾板の視認側とは反対側の面に対向して配置された回路基板と、
コアと、このコアに巻回されたコイルとを有するアンテナ構造体と、
前記装飾板の視認側とは反対側の面に一体に形成された第１のアンテナケース部と、
前記回路基板の前記装飾板と対向する側の面であって前記第１のアンテナケース部に対応する位置に一体に形成された第２のアンテナケース部と、を備え、
前記アンテナ構造体は、前記第１のアンテナケース部と前記第２のアンテナケース部とにより形成された空間内に収納されていることを特徴としている。
【００１１】
請求項４に記載の発明は、請求項１から請求項３のいずれか一項に記載のアンテナ装置において、
前記装飾板には、該装飾板と一体に形成されたアンテナケース部の近傍に、磁性シートが配置される磁性シート配置部をさらに備えていることを特徴としている。
【００１２】
請求項５に記載の発明は、請求項４に記載のアンテナ装置において、
前記磁性シート配置部に、磁性シートを配置したことを特徴としている。
【００１３】
請求項６に記載の発明は、請求項１から請求項３のいずれか一項に記載のアンテナ装置において、
前記装飾板には、該装飾板と一体に形成されたアンテナケース部の近傍に、副磁路形成用の磁性部材が配置される磁性部材配置部をさらに備えていることを特徴としている。
【００１４】
請求項７に記載の発明は、請求項６に記載のアンテナ装置において、
前記磁性部材配置部に、副磁路形成用の磁性部材を配置したことを特徴としている。
【００１５】
請求項８に記載の発明は、
コアをコアケース部に収納し、前記コアが収納されたコアケース部にコイルを巻回してアンテナ構造体を形成するアンテナ形成工程と、
このアンテナ形成工程により形成されたアンテナ構造体を、装飾板と一体に形成されたアンテナケース部に収納するケース収納工程と、
を備えていることを特徴としている。
【００１６】
請求項９に記載の発明は、
コアにコイルを巻回してアンテナ構造体を形成するアンテナ形成工程と、
このアンテナ形成工程により形成されたアンテナ構造体を、装飾板と一体に形成されたアンテナケース部に収納するケース収納工程と、
を備えていることを特徴としている。
【００１７】
請求項１０に記載の発明は、
コアにコイルを巻回してアンテナ構造体を形成するアンテナ形成工程と、
このアンテナ形成工程により形成されたアンテナ構造体を、装飾板と一体に形成された第１のアンテナケース部と回路基板と一体に形成された第２のアンテナケース部とにより形成された空間内に収納するケース収納工程と、
を備えていることを特徴としている。
【００１８】
請求項１１に記載の発明は、請求項８から請求項１０のいずれか一項に記載のアンテナ装置の製造方法において、
前記装飾板に、磁性シートを配置する磁性シート配置工程をさらに備えていることを特徴としている。
【００１９】
請求項１２に記載の発明は、請求項８から請求項１０のいずれか一項に記載のアンテナ装置の製造方法において、
前記装飾板に、副磁路形成用の磁性部材を配置する磁性部材配置工程をさらに備えていることを特徴としている。
【００２０】
請求項１３に記載の発明は、
請求項１から請求項７のいずれか一項に記載されたアンテナ装置と、
このアンテナ装置が設けられた機器本体と
を備えていることを特徴としている。
【発明の効果】
【００２１】
本発明によれば、装飾板と一体に形成されたアンテナケース部にアンテナ構造体を収納することによりアンテナ装置を構成しているので、アンテナ装置を電子機器に搭載する際にアンテナ装置を収納するケースを別部材として設ける必要がない。このため、部品点数を削減することができるとともに、部品の組み付け工程を簡易化することができる。
また、このようにアンテナ装置を構成する部品の数を少なくすることにより部品の管理が簡単になるとともに、部品の組み付けの際にも部品同士の位置決めを簡易かつ確実に行うことができる。これにより、生産効率を向上させ、安価な装置を実現することができる。
また、アンテナ装置を構成するアンテナケース部が装飾板と一体化されているため、別途ケースを用いてアンテナ装置を構成する場合と比べて、部材の重なり合いを少なくすることができ、アンテナ装置を設けるスペースを小さくすることができる。これにより、アンテナ装置を搭載する電子機器の小型化、薄型化を実現することができる。
【発明を実施するための最良の形態】
【００２２】
以下、図面を参照して、本発明の好適な実施形態について説明する。尚、以下では、本発明を、電子機器としての腕時計型の電波時計に適用した場合について説明するが、本発明を適用可能な実施形態がこれに限定されるものではない。
【００２３】
［第１実施形態］
先ず、図１から図８を参照しつつ、本発明の第１実施形態について説明する。
【００２４】
図１は、本実施形態における電子機器である腕時計１００の正面図である。また、図２は、図１のＩ−Ｉ線断面図であり、図３は、図１に示す腕時計１００の分解斜視図である。
また、図４は、時計ケース内に収納された文字板を裏面側から見た平面図である。また、図５は、図４のアンテナケース部の拡大図である。また、図６は、図５のII−II線断面図である。また、図７は、本発明の第１の実施形態のアンテナ装置を構成する各部材を示した分解斜視図である。また、図８（Ａ）および図８（Ｂ）は、本発明の第１の実施形態のアンテナ装置の組み立て工程を示す斜視図であり、図８（Ａ）は、アンテナ構造体をアンテナケース部に組み付ける前の状態を示す斜視図、図８（Ｂ）は、アンテナ構造体をアンテナケース部に組み付けた後の状態を示す斜視図である。
本実施形態において腕時計１００は、アンテナ構造体５を備えたアンテナ装置５０により受信した標準電波を増幅変調してタイムコードを解読することにより現在時刻を修正する電波腕時計である。
【００２５】
図１から図３に示すように、腕時計１００は、装飾板としての文字板１と、内部に時計モジュールを構成する各部品を収納するモジュールハウジング３と、文字板１及びモジュールハウジング３が収納された時計ケース２と、この時計ケース２の裏面側（図２の下側）に取り付けられた裏蓋４とを備えている。
【００２６】
時計ケース２は、ステンレスやチタン等の強度の強い金属によって、上下面に開口した平面視ほぼ円形の環状に形成されている。また、時計ケース２の図１における上下両端部、つまり時計の１２時方向側端部及び６時方向側端部には、外部側方に延出した延出部２１が形成されており（図２参照）、この延出部２１には、これをユーザの腕に装着するためのバンド部材２２が取り付けられる。また、時計ケース２の外周部には、時刻合わせの指示などの種々の操作指示が入力される複数の操作ボタン２３が設けられている。
【００２７】
時計ケース２の上面中央部（視認側）には、時計ガラス２４がリング状のパッキン２５（図２参照）を介して装着されている。また、時計ケース２の内部であって時計ガラス２４の下方には、時計ケース２の内周に沿って見切部材２６が配置されている。
【００２８】
時計ケース２の下端部には、環状のリング溝２７が形成されており、このリング溝２７には、防水リング２８が配置されている。防水リング２８は、合成樹脂やゴム等の弾性を有する材料によってリング状に形成されており、リング溝２７内に配置された状態で裏蓋４の内面に圧接するように構成されている。
【００２９】
裏蓋４は、時計ケース２と同様、例えばステンレスやチタン等の強度の高い金属により、全体の厚みが薄いほぼ平板状に形成されている。裏蓋４は、前記防水リング２８を介して時計ケース２に取り付けられており、防水リング２８が時計ケース２と裏蓋４との間で圧縮されることにより、時計ケース２内の気密性が確保される。
【００３０】
時計ケース２内に収納されるモジュールハウジング３は、例えば樹脂等で形成されており、モジュールハウジング３には、例えば、時針や秒針等の指針３５を文字板１上で運針させるための運針機構（図示せず）等を動作させるための各種電子部品、及びこれらの電子部品が接続されるとともに各種回路を有するＩＣチップが実装される回路基板３１等で構成されている時計モジュールが収納されている。
ＩＣチップが有する回路要素としては、例えば、腕時計１００の各部を制御するＣＰＵ等の制御ＩＣ、後述するアンテナ構造体５によって検出された電気信号を増幅・復調して標準電波に含まれる時刻データを取り出す受信回路部３２(図７参照)、発振器を有して現在時刻を計時する計時回路等がある。受信回路部３２は、図７に示すように、アンテナ接続電極３６と接続されており、アンテナ構造体５がアンテナ接続電極３６と電気的に接続されることによりアンテナ構造体５によって受信された電波がアンテナ接続電極３６を介して受信回路部３２に送られるようになっている。
【００３１】
時計ケース２の内部には、モジュールハウジング３を支持する枠部材３３が設けられている。枠部材３３は、例えば合成樹脂により形成されており、厚みの薄い円形状の底部と、この底部の周辺部に沿った側部とから成る。枠部材３３の内径は、モジュールハウジング３の外径よりもわずかに大きい寸法となっており、枠部材３３は、腕時計１００の裏面側（図２の下側）からモジュールハウジング３を支持するとともに、モジュールハウジング３内に収納されている各種電子部品を他の構成要素との干渉から保護している。
【００３２】
モジュールハウジング３と時計ガラス２４との間には、ほぼ円形の薄板状に形成された装飾板としての文字板１が配置されている。文字板１の表面(視認側：図２の上側)の周縁部は、中央部に比べて厚さの厚い時字部１１となっており、時字部１１には、時字１２が、円周方向にほぼ等間隔で１２箇所に刻印、印刷等により設けられている。
【００３３】
文字板１の中央部には軸孔１３が形成されており、軸孔１３には、時計モジュールの運針機構に設けられた指針軸３４が文字板１の裏面側（図２及び図３の下側）から時計ガラス２４の方向（図２及び図３の上側）に向けて貫通している。指針軸３４には、時針や分針等の指針３５が取り付けられている。指針３５は、前述の運針機構によって文字板１の上方で運針するようになっており、この指針３５によって文字板１上の時字１２が指示されることによって、現在の時刻を知ることができるようになっている。
【００３４】
文字板１の視認側とは反対側の面（図２及び図３の裏面側）であって、文字板１を時計ケース２内に収納したときに１２時側に配置される位置には、アンテナ構造体５を収納するアンテナケース部１５が一体に形成されている。本実施形態においては、アンテナ構造体５とアンテナケース部１５を備える文字板１とによってアンテナ装置５０が構成されている。
【００３５】
ここで、図４から図８を参照しつつ、アンテナ構造体５及び文字板１とから成るアンテナ装置５０の構成について詳細に説明する。
図４は、時計ケース２内に収納された文字板１を裏面側（図２の下側）から見た平面図であり、図５は、図４のアンテナケース部１５の部分を拡大した図であり、図６は、図５のII−II断面図である。
【００３６】
本発明のアンテナ構造体５は、図４に示すように、環状の時計ケース２の内周面に沿う形状に形成されている。アンテナ構造体５は、図５に破線で示すコア５１と、樹脂等で形成されコア５１を収納するコアケース部５２と、コアケース部５２の上からコア５１に巻回されるコイル５３とから構成されているものである。
コア５１は、アモルファス等の比透磁率が高く、導電率が小さい磁性材料からなる複数の板状部材を積層して形成されている。板状部材としては、アモルファス合金、Fe-Cu-Nb-Si-B系等のナノ結晶磁性合金、Fe-Si系磁性合金等の軟磁性金属箔帯を板厚20μｍ以下に薄く形成して用いているが、これに限られない。
図５に示すように、コア５１のほぼ中央部は、コイル５３が巻回されるコイル巻回部である幅狭の直状部５５となっており、コア５１の両端部にはコア５１の幅方向に大きく延出する延出部５６が形成されている。各延出部５６は、一方側の端縁が時計ケース２の内周面に沿う形状に形成されており、アンテナ構造体５を時計ケース２内に収納したときにアンテナ構造体５が時計ケース２の内周面に沿って配置され、時計ケース２とアンテナ構造体５との間に必要以上の隙間が生じないようになっている。
【００３７】
上述のようなコア５１を収納するコアケース部５２は、ほぼ中央部が幅狭で直状に形成されコイル５３を巻回する巻き線部５７となっており、巻き線部５７の両端にはこの巻き線部５７より幅広に形成され延出部５６を保持する延出部保持部５８が設けられている。
延出部保持部５８は延出部５６の基端側の形状に沿う形状に形成されており、コアケース部５２にコア５１を収納した際に、コア５１の延出部５６の基端側が延出部保持部５８によって被覆されるとともに、延出部５６の端部が延出部保持部５８から露出するようになっている。
【００３８】
コアケース部５２内にコア５１を収納した後、巻き線部５７には、コイル５３がほぼ均一の厚さとなるように巻回される。コアケース部５２の延出部保持部５８の一端には、巻回されたコイル５３の端部を係止するコイル係止部５９が設けられており、コイル５３の端部は、コイル係止部５９に係止された上で回路基板３１上に形成されたアンテナ接続電極３６に接続される。
【００３９】
このようにして形成されたアンテナ構造体５は、標準電波による磁界中に置かれると、この磁界による磁束が周囲空間よりも比透磁率が高いコア５１に集中してコイル５３に鎖交し、コイル５３には、コイル５３内部での磁束変化を妨げる向きに反磁界（磁束）を発生させるように誘導起電力が生じる。前記受信回路３２は、コイル５３に生じた誘導起電力を検出する。
【００４０】
次に、文字板１に設けられているアンテナケース部１５は、コアケース部５２の延出部保持部５８及び延出部保持部５８から露出するコア５１の延出部５６の端部の外周よりもわずかに大きく形成された延出部収納部１６とコイル５３の巻回部分に対応する位置に設けられた巻き線収納部１７とを有している。
【００４１】
延出部収納部１６は、コアケース部５２の延出部保持部５８及びコア５１の延出部５６の形状に沿うようにほぼ垂直方向に立設された側壁部１８を有しており、この側壁部１８内に延出部保持部５８及び延出部５６が収納されるようになっている。
【００４２】
巻き線収納部１７は、アンテナ構造体５をアンテナケース部１５に収納したときにコイル５３に対応する部分の文字板１を掘り下げて設けられた空間である。図６に示すように、巻き線収納部１７は、巻き線部５７にコイル５３を巻回することによりコアケース部５２の他の部分よりも厚くなったコイル５３の厚み分だけ文字板１の裏面側（図２の下側）が掘り下げられている。
【００４３】
図７及び図８を参照しつつ、本実施形態におけるアンテナ装置の製造方法について説明する。
図７は、アンテナ装置５０を構成する各部材を示した分解斜視図であり、図８は、アンテナ構造体５と回路基板３１とを文字板１のアンテナケース部１５に組み付けた状態を示す図である。この図７および図８は回路基板３１、文字板１等を裏面側から見た図である。
【００４４】
まず、複数の板状部材を積層してコア５１を形成し、このコア５１を延出部５６の形状がコアケース部５２の延出部保持部５８の形状に合致する向きでコアケース部５２に収納する。その後、コアケース部５２の巻き線部５７にコイル５３をほぼ均一の厚みとなるように巻回してアンテナ構造体５を形成する。この工程をアンテナ形成工程という。コイル５３の端部５３ａは、コイル係止部５９に係止され、回路基板３１のアンテナ接続電極３６に接続される。
【００４５】
さらに、回路基板３１と接続されたアンテナ構造体５を、コイル５３が巻き線収納部１７に対応し延出部保持部５８及び延出部５６が延出部収納部１６に対応するようにアンテナケース部１５に収納し（この工程をアンテナ収納工程という。）、アンテナ装置５０が完成する。アンテナ装置５０が完成すると、回路基板３１をモジュールハウジング３内に収納し、文字板１をモジュールハウジング３の上面に配置する。
【００４６】
次に、本実施形態の作用について説明する。
アンテナ接続電極３６を介して回路基板３１上の受信回路部３２と接続されたアンテナ構造体５を、文字板１と一体に形成されたアンテナケース部１５に収納してアンテナ装置５０を構成し、このアンテナ装置５０により標準電波を受信する。そして、アンテナ装置５０により受信された電波がアンテナ接続電極３６を介して受信回路部３２に送られ、この電波に基づいて腕時計１００の現在時刻データが修正される。
【００４７】
以上のように、本実施形態によれば、文字板１と一体に形成されたアンテナケース部１５にアンテナ構造体５を収納することによりアンテナ装置５０を構成しているので、アンテナ装置５０を構成するケースを別途設ける必要がない。このため、部品点数を削減することができるとともに、部品の組み付け工程を簡易化することができる。
また、このようにアンテナ装置５０を構成する部品の数を少なくすることにより部品の管理が簡単になるとともに、部品の組み付けの際にも部品同士の位置決めを簡易かつ確実に行うことができる。これにより、生産効率を向上させ、安価な装置を実現することができる。
【００４８】
また、アンテナ装置５０を構成するアンテナケース部１５が文字板１と一体化されているため、別途ケースを用いてアンテナ装置を構成する場合と比べて、部材の重なり合いを少なくすることができ、アンテナ装置５０を設けるスペースを小さくすることができる。これにより、アンテナ装置５０を組み込む腕時計１００の小型化、薄型化を実現することが可能となる。
【００４９】
なお、本実施形態においては、アンテナ装置５０を構成するアンテナケース部１５を装飾板としての文字板１に設け、アンテナ装置５０を腕時計１００に設ける例について説明したが、アンテナケース部を設ける装飾板は腕時計の文字板に限定されない。
例えば携帯電話機や携帯型のラジオ等、小型化・薄型化が要請される各種電子機器に備えられる装飾板にアンテナケース部を一体形成して、この装飾板とアンテナ構造体とによりアンテナ装置を構成するようにしてもよい。
【００５０】
また、アンテナ構造体５の形状は、本実施形態に示したものに限定されない。ここで例示したものと異なる形状のアンテナ構造体を用いる場合には、アンテナ構造体を収納するアンテナケース部もアンテナの形状に対応する形状に形成する。
【００５１】
その他、本発明が上記実施の形態に限らず適宜変更可能であるのは勿論である。
【００５２】
［第２の実施の形態］
次に、図９を参照しつつ、本発明に係るアンテナ装置の第２の実施形態について説明する。この図９は回路基板、文字板等を裏面側から見た図である。なお、第２の実施形態は、アンテナ装置を構成するアンテナ構造体の構成が第１の実施形態と異なるものであるので、以下においては、特に第１の実施形態と異なる点について説明する。
【００５３】
本実施形態におけるアンテナ構造体６は、第１の実施形態と同様に、コア６１と、このコア６１に巻回されたコイル６３とから構成されているものである。
【００５４】
コア６１は、第１の実施形態と同様に、コイル６３が巻回される幅狭の直状部６５と、この直状部６５の両端部にコア６１の幅方向に大きく延出する延出部６６とを備えており、例えばフェライト等の比透磁率が高く導電率が小さい磁性材料により一体的に形成されている。
【００５５】
また、装飾板としての文字板１の裏面側には、第１の実施形態と同様に、巻き線収納部６７と延出部収納部６８とを有するアンテナケース部６９が文字板１と一体に形成されている。
本実施形態においては、アンテナ構造体６と文字板１とによりアンテナ装置６０が構成されている。
【００５６】
また、アンテナ装置６０が搭載される電子機器である腕時計（図示せず）は、腕時計の各種電子部品と接続されるとともに、受信回路部（図示せず）等の各種ＩＣチップを実装する回路基板３１を備えている。
【００５７】
なお、その他の構成は、第１の実施形態に示したものと同様であるので、同一部材には同一符号を付してその説明を省略する。
【００５８】
次に、本実施形態におけるアンテナ装置６０の製造方法について説明する。
図９（Ａ）は、アンテナ構造体６と回路基板３１と文字板１とを示す分解斜視図であり、図９（Ｂ）は、アンテナ構造体６及び回路基板３１を文字板１に組み付けた状態を示す図である。
【００５９】
まず、コア６１の直状部６５にコイル６３をほぼ均一の厚みとなるように巻回して、アンテナ構造体６を形成する。この工程をアンテナ形成工程という。コイル６３の端部は、回路基板３１のアンテナ接続電極（図示せず）に接続される。
【００６０】
さらに、回路基板３１と接続されたアンテナ構造体６を、直状部６５に巻回されたコイル６３が巻き線収納部６７に対応し延出部６６が延出部収納部６８に対応するようにアンテナケース部６９に収納し（この工程をアンテナ収納工程という。）、アンテナ装置６０が完成する。
【００６１】
以上のように、本実施形態によれば、コア６１の全体がフェライト等により一体に形成されているため、このコア６１を収納するためのコアケース部を特別に設ける必要がなく、アンテナ構造体６をコア６１とコイル６３とから構成することができる。このため、コアケース部を設ける必要がない分、部品点数を削減することができ、組み付け工数を減らして生産効率を向上させることができるとともに、部品管理の簡易化、アンテナ装置６０及びこれを搭載する電子機器の小型化・薄型化を実現することができる。
【００６２】
なお、本発明が上記実施の形態に限らず適宜変更可能であるのは、第１の実施形態と同様である。
【００６３】
［第３の実施の形態］
次に、図１０を参照しつつ、本発明に係るアンテナ装置の第３の実施形態について説明する。この図１０は回路基板、文字板等を裏面側から見た図である。なお、第３の実施形態は、アンテナ装置を構成するアンテナ構造体の構成が第１の実施形態と異なるものであるので、以下においては、第１の実施形態と異なる点について説明する。
【００６４】
本実施形態におけるアンテナ構造体５は、第１の実施形態と同様に、コア５１と、コアケース部５２と、コア５１に巻回されるコイル５３と、を備えて構成されている。アンテナ構造体５の構成は、第１の実施形態に示したものと同様であるので、その説明を省略する。
【００６５】
また、装飾板としての文字板１の裏面側には、第１の実施形態と同様に、巻き線収納部７２と延出部収納部７３とを有するアンテナケース部７４が文字板１と一体に形成されている。アンテナケース部７４は、第１の実施形態と同様に、文字板１の周縁に沿って設けられている。
【００６６】
さらに、文字板１の裏面側の周縁であって、アンテナケース部７４よりも外側（文字板１を時計ケースに収納したときに時計ケースの内側壁に近い側）には、磁性シート配置部としての磁性シート配置溝７５がアンテナケース部７４の外周に沿うように設けられている。そして、この磁性シート配置溝７５には、磁性シート７６が配置されている。
【００６７】
磁性シート７６は、例えば、樹脂中に、アモルファス金属やフェライト等の磁性体粉末や、銅やアルミ等の金属粉末を分散・混合してシート状に形成したものであり、腕時計の時計ケースや裏蓋（いずれも図示せず）の透磁率よりも高く、且つ導電率が小さい磁性部材である。このような磁性シート７６を磁性シート配置溝７５に配置することにより、金属部材である時計ケース及び裏蓋とアンテナ構造体５との間を磁性部材である磁性シート７６によって隔てている状態となっている。
【００６８】
磁性部材である磁性シート７６には外部磁界を遮断する効果がある。従って、標準電波によってアンテナ構造体５に生じる反磁界（磁束）は、磁性シート７６に遮断されて時計ケースや裏蓋を殆ど通過しない。このため、時計ケースや裏蓋が金属材料で形成されている場合であっても、磁界が金属を通過することによる渦電流が殆ど生じず、近傍金属に起因するアンテナ構造体５の受信効率の劣化（低下）が抑制される。
【００６９】
本実施形態においては、アンテナ構造体５と、これを収納するアンテナケース部７４を備える文字板１と、磁性シート配置溝７５に配置されている磁性シート７６とによりアンテナ装置７０が構成されている。
【００７０】
また、アンテナ装置７０が搭載される電子機器である腕時計（図示せず）は、第１の実施形態と同様に、腕時計の各種電子部品と接続されるとともに、受信回路部３２等の各種ＩＣチップを実装する回路基板３１を備えている。
【００７１】
なお、その他の構成は、第１の実施形態に示したものと同様であるので、同一部材には同一符号を付してその説明を省略する。
【００７２】
次に、本実施形態におけるアンテナ装置７０の製造方法について説明する。
図１０（Ａ）は、アンテナ装置７０を構成する各部材を示した分解斜視図であり、図１０は、アンテナ構造体５と回路基板３１とを文字板１に組み付けた状態を示す図である。
【００７３】
まず、複数の板状部材を積層してコア５１形成し、このコア５１を延出部５６の形状がコアケース部５２の延出部保持部５８の形状に合致する向きでコアケース部５２に収納する。その後、コアケース部５２の巻き線部５７にコイル５３をほぼ均一の厚みとなるように巻回し、アンテナ構造体５が形成される（この工程をアンテナ形成工程という。）。コイル５３の端部５４は、コイル係止部５９に係止され、回路基板３１のアンテナ接続電極３６に接続される。
【００７４】
文字板１の磁性シート配置溝７５に磁性シート７６を配置し（この工程を磁性シート配置工程という。）、回路基板３１と接続されたアンテナ構造体５をアンテナケース部７４に収納する（この工程をアンテナ収納工程という。）。これによりアンテナ装置７０が完成する。
【００７５】
以上のように、本実施形態によれば、文字板１の磁性シート配置溝７５に磁性シート７６を配置して、金属部材である時計ケース及び裏蓋とアンテナ構造体５との間を、外部磁界を遮断する効果のある磁性部材である磁性シート７６によって隔てている。これにより、標準電波によってアンテナ構造体５に生じる反磁界（磁束）が磁性シートに遮断されて時計ケースや裏蓋を殆ど通過しないため、金属部材である時計ケースや裏蓋には、磁界が金属を通過することによる渦電流が殆ど生じず、近傍金属に起因するアンテナ構造体５の受信効率の劣化（低下）を抑制して受信感度を向上させることができる。
【００７６】
なお、本実施形態においては、磁性シート７６を配置する磁性シート配置部として磁性シート配置溝７５を備える構成としたが、磁性シート配置部は溝である場合に限定されない。磁性シート７６を配置可能な構成であればよく、例えば磁性シート配置部として磁性シート７６を保持する突状部等であってもよい。
【００７７】
また、本実施形態においては、アンテナ構造体５は第１実施形態に示したものと同様に、複数の板状部材を積層してコア５１を備え、コア５１を収納するコアケース部５２を備える構成としたが、例えば、第２の実施形態に示したようにフェライト等により一体形成されたコアを備え、このコアに直接コイルを巻回して形成されたコアケースを備えないアンテナ構造体を用いる場合にも本実施形態のように磁性シートを配置する構成を適用することができる。
【００７８】
その他、本発明が上記実施の形態に限らず適宜変更可能であるのは、第１の実施形態及び第２の実施形態と同様である。
【００７９】
［第４の実施の形態］
次に、図１１を参照しつつ、本発明に係るアンテナ装置の第４の実施形態について説明する。この図１１は回路基板、文字板等を裏面側から見た図である。なお、第４の実施形態は、第３の実施形態の変形であるため、以下においては、第３の実施形態と異なる点について説明する。
【００８０】
本実施形態におけるアンテナ構造体５は、第３の実施形態と同様に、コア５１と、コアケース部５２と、コア５１に巻回されるコイル５３と、を備えて構成されている。アンテナ構造体５の構成は、第３の実施形態に示したものと同様であるので、その説明を省略する。
【００８１】
また、装飾板としての文字板１の裏面側には、第３の実施形態と同様に、巻き線収納部８２と巻き線収納部８２の両側に設けられた延出部収納部８３とを有するアンテナケース部８４が文字板１と一体に形成されている。アンテナケース部８４は、第３の実施形態と同様に、文字板１の周縁に沿って設けられている。各延出部収納部８３の文字板１の周縁に沿っている側の側壁には、切り欠き部８５が設けられている。
【００８２】
さらに、文字板１の裏面側の周縁であって、アンテナケース部８４よりも外側（文字板１を時計ケースに収納したときに時計ケースの内側壁に近い側）には、副磁路形成用の磁性部材を配置する磁性部材配置部としての磁性部材配置溝８６がアンテナケース部８４の外周に沿うように設けられている。そして、この磁性部材配置溝８６には、磁性部材８７が配置されている。
【００８３】
磁性部材８７は、主磁路を形成するコア５１に対して、副磁路を形成するための磁束還流用の部材であり、主磁路を形成するコア５１の構成材料と同様なアモルファス金属やフェライト等の磁性体から形成されている。すなわち、磁性部材８７は、コア５１の構成材料と同じ、軟磁性フェライト又はアモルファス合金、Fe-Cu-Nb-Si-B系等のナノ結晶磁性合金、Fe-Si系磁性合金等の軟磁性金属薄帯を板厚20μｍ以下で積層しているが、これに限られない。また、磁性部材８７の比透磁率としてはコア５１と同等またはそれ以下のものを用いている。コア５１の比透磁率が、たとえば100000〜80000である場合は、この磁性部材８７のそれは100000〜500程度とする。
この磁性部材８７は、シート状に形成されたシート状部８８とシート状部８８の両端部に設けられた磁性体片８９とから構成されており、シート状部８８を磁性部材配置溝８６に沿って配置すると、シート状部８８の各端部に設けられた磁性体片８９が切り欠き部８５からアンテナケース部８４の内部に挿入されて、その磁性体片８９の端部がアンテナ構造体５の延出部５６に接触するようになっている。このような磁性部材８７を磁性部材配置溝８６に配置することにより、コア５１には主磁路が形成される一方で、磁性部材８７には副磁路が形成される。
【００８４】
このように、磁性部材８７をアンテナ構造体５のコア５１の両端部に接触させることにより、コア５１に基本的な主磁路が形成されるほかに、このコア５１の主磁路から分岐する副磁路が磁性部材８７に形成される。このために、コア５１の端部から放射された磁束はこの磁性部材８７の副磁路に還流するため、磁束の有効利用を図ることができ、アンテナ構造体５の受信感度を大幅に向上させることができる。
【００８５】
本実施形態においては、アンテナ構造体５と、これを収納するアンテナケース部８４を備えた文字板１と、磁性部材配置溝８６に配置された磁性部材８７とによりアンテナ装置８０が構成されている。
【００８６】
また、アンテナ装置８０が搭載される電子機器である腕時計（図示せず）は、第１の実施形態と同様に、腕時計の各種電子部品と接続されるとともに、受信回路部３２等の各種ＩＣチップを実装する回路基板３１を備えている。
【００８７】
なお、その他の構成は、第３の実施形態に示したものと同様であるので、同一部材には同一符号を付してその説明を省略する。
【００８８】
次に、本実施形態におけるアンテナ装置８０の製造方法について説明する。
図１１（Ａ）は、アンテナ装置８０を構成する各部材を示した分解斜視図であり、図１１は、アンテナ構造体５と回路基板３１とを文字板１に組み付けた状態を示す図である。
【００８９】
まず、複数の板状部材を積層してコア５１形成し、このコア５１を延出部５６の形状がコアケース部５２の延出部保持部５８の形状に合致する向きでコアケース部５２に収納する。その後、コアケース部５２の巻き線部５７にコイル５３をほぼ均一の厚みとなるように巻回し、アンテナ構造体５が形成される。この工程をアンテナ形成工程という。コイル５３の端部５４は、コイル係止部５９に係止され、回路基板３１のアンテナ接続電極３６に接続される。
【００９０】
文字板１の磁性部材配置溝８６に磁性部材８７を配置し磁性体片８９が切り欠き部８５からアンテナケース部８４の内部に挿入されるように配置する（この工程を磁性部材配置工程という。）。さらに、回路基板３１と接続されたアンテナ構造体５をアンテナケース部８４に収納する。この工程をアンテナ収納工程という。これによりして、磁性体片８９の端部がアンテナケース部８４内に収納されているアンテナ構造体５の延出部５６に接触し、アンテナ装置８０が完成する。
【００９１】
以上のように、本実施形態によれば、文字板１の磁性部材配置溝８６に磁性部材８７を配置して、磁性体片８９の端部がアンテナケース部８４内に収納されているアンテナ構造体５の延出部５６に接触するようになっている。この結果、磁性部材８７により副磁路が形成されるため、コア５１の端部から放射された磁束がこの磁性部材８７の副磁路に還流し、コア５１に発生した磁束の有効利用を図ることができる。
【００９２】
なお、本実施形態においては、磁性部材８７を配置する磁性部材配置部として磁性部材配置溝８６を備える構成としたが、磁性部材配置部は溝である場合に限定されない。磁性部材８７を配置可能な構成であればよく、例えば磁性部材配置部として磁性部材８７を保持する突状部等の構成であってもよい。
また、本実施形態においては、副磁路を形成するための磁性部材８７を、シート状に形成されたシート状部８８とシート状部８８の両端部に設けられた磁性体片８９とから構成しているがこれに限定されず、
【００９３】
また、本実施形態においては、アンテナ構造体５は第１実施形態に示したものと同様に、複数の板状部材を積層してコア５１を備え、コア５１を収納するコアケース部５２を備える構成としたが、例えば、第２の実施形態に示したようにフェライト等により一体形成されたコアを備え、このコアに直接コイルを巻回して形成されたコアケースを備えないアンテナ構造体を用いる場合にも本実施形態のように磁性部材８７を配置する構成を適用することができる。
【００９４】
その他、本発明が上記実施の形態に限らず適宜変更可能であるのは、第１の実施形態から第３の実施形態と同様である。
【００９５】
［第５の実施の形態］
次に、図１２を参照しつつ、本発明に係るアンテナ装置及びこれを搭載した電子機器の第５の実施形態について説明する。なお、第５の実施形態は、アンテナ装置の構成が第１の実施形態から第４の実施形態と異なるものであるので、以下においては、第１の実施形態から第４の実施形態と異なる点について説明する。
【００９６】
本実施形態において、電子機器としての腕時計（図示せず）は、電波を受信するアンテナ構造体５と、装飾板としての文字板９０と、回路基板９６とを備えている。
【００９７】
本実施形態におけるアンテナ構造体５は、第１の実施形態等と同様に、コア５１と、コアケース部５２と、コア５１に巻回されたコイル５３とを備えて構成されている。アンテナ構造体５の構成は、第１の実施形態に示したものと同様であるので、その説明を省略する。
【００９８】
文字板９０の視認側とは反対側の面（図１２の裏面側）であって、文字板９０を時計ケース内に収納したときに１２時の位置に配置される側には、第１のアンテナケース部としての文字板側ケース部９１が一体に形成されている。図１２に示すように、文字板側ケース部９１は、アンテナ構造体５の厚みのほぼ半分程度の高さの側壁部９２を備えている。
また、文字板９０は、第１の実施形態等と同様に指針軸３４が貫通する軸孔９３、時字９４が施された時字部９５を備えている。
【００９９】
回路基板９６は、文字板９０の視認側とは反対側の面に対向して配置されており、回路基板９６の文字板９０と対向する側の面であって文字板側ケース部９１に対応する位置には、第２のアンテナケース部としての基板側ケース部９７が回路基板９６と一体に形成されている。基板側ケース部９７は、文字板側ケース部９１と同様にアンテナ構造体５の厚みのほぼ半分程度の高さの側壁部９８を備えている。文字板９０と回路基板９６とを対向配置すると、文字板側ケース部９１と基板側ケース部９７とによりアンテナ収納スペース９９が形成されるようになっており、アンテナ構造体５は、文字板側ケース部９１と基板側ケース部９７とにより形成されたこのアンテナ収納スペース９９内に収納されている。
本実施形態においては、アンテナ構造体５と文字板側ケース部９１を備える文字板９０と基板側ケース部９７を備える回路基板９６とによってアンテナ装置１１０が構成されている。
また、回路基板９６は、第１の実施形態等と同様に、コイル５３の端部が接続されるアンテナ接続電極及び受信回路等（いずれも図示せず）を備えている。
【０１００】
なお、その他の構成は、第１の実施形態に示したものと同様であるので、同一部材には同一符号を付してその説明を省略する。
【０１０１】
次に、本実施形態におけるアンテナ装置１１０の製造方法について説明する。
【０１０２】
まず、複数の板状部材を積層してコア５１形成し、このコア５１を延出部（図示せず）の形状がコアケース部５２の延出部保持部（図示せず）の形状に合致する向きでコアケース部５２に収納する。その後、コアケース部５２の巻き線部（図示せず）にコイル５３をほぼ均一の厚みとなるように巻回し、アンテナ構造体５が形成される。この工程をアンテナ形成工程という。コイル５３の端部（図示せず）は、回路基板９６のアンテナ接続電極（図示せず）に接続される。
【０１０３】
文字板９０と回路基板９６とを対向配置し、文字板側ケース部９１と基板側ケース部９７とにより形成されるアンテナ収納スペース９９内に回路基板９６と接続されたアンテナ構造体５を収納する。この工程をアンテナ収納工程という。これにより、アンテナ装置１１０が完成する。
【０１０４】
以上のように、本実施形態によれば、文字板９０と一体に形成された文字板側ケース部９１と、回路基板９６と一体に形成された基板側ケース部９７との双方により形成されたアンテナ収納スペース９９内にアンテナ構造体５を収納することによりアンテナ装置１１０を構成しているので、アンテナ装置１１０を構成するためにケースを別途設ける必要がない。このため、そのケースの分、部品点数を削減することができるとともに、部品の組み付け工程を簡易化することができる。また、このようにアンテナ装置１１０を構成する部品の数を少なくすることにより部品の管理が簡単になるとともに、部品の組み付けの際にも部品同士の位置決めを簡易かつ確実に行うことができる。これにより、生産効率を向上させ、安価な装置を実現することができる。
【０１０５】
また、アンテナ装置１１０を収納するスペースが文字板９０と一体に形成された文字板側ケース部９１と、回路基板９６と一体に形成された基板側ケース部９７との双方により形成されているため、別途ケースを用いてアンテナ装置を収納する構成と比べて、部材の重なり合いを少なくすることができ、アンテナ装置１１０を設けるスペースを小さくすることができる。これにより、アンテナ装置１１０を搭載する電子機器の小型化、薄型化を実現することが可能となる。
【０１０６】
なお、本実施形態においては、アンテナ構造体５は第１実施形態に示したものと同様に、複数の板状部材を積層してコア５１を備え、コア５１を収納するコアケース部５２を備える構成としたが、例えば、第２の実施形態に示したようにフェライト等により一体形成されたコアを備え、このコアに直接コイルを巻回して形成されたコアケースを備えないアンテナ構造体を用いる場合にも、本実施形態において示した構成を適用することができる。
【０１０７】
また、本実施形態においては、アンテナ構造体５を裏面側から支持する基板側ケース部９７（第２のアンテナケース部）を回路基板９６と一体に設けるように構成したが、第２のアンテナケース部は回路基板３１に設けられている場合に限定されず、他の部材と一体に形成されている場合や、単体で設けられているものであってもよい。
【０１０８】
さらに、本実施形態に示したような構成の文字板側ケース部９１（第１のアンテナケース部）、基板側ケース部９７（第２のアンテナケース部）に、第３の実施形態で示したような磁性シート又は第４の実施形態で示したような磁性部材を設ける構成としてもよい。
【０１０９】
その他、本発明が上記実施の形態に限らず適宜変更可能であるのは、第１の実施形態から第４の実施形態と同様である。
【図面の簡単な説明】
【０１１０】
【図１】本発明の第１の実施形態のアンテナ装置を備えた電子機器の一例を表す腕時計の概略構成を示す正面図である。
【図２】図１のＩ−Ｉ線断面図である。
【図３】図１の腕時計の分解斜視図である。
【図４】時計ケース内に収納された文字板を裏面側から見た平面図である。
【図５】図４のアンテナケース部周辺の拡大図である。
【図６】図５のII−II線断面図である。
【図７】本発明の第１の実施形態のアンテナ装置を構成する各部材を示した分解斜視図である。
【図８】（Ａ）（Ｂ）は、本発明の第１の実施形態のアンテナ装置の組み立て工程を示す斜視図であり、（Ａ）は、アンテナ構造体をアンテナケース部に組み付ける前の状態を示す斜視図、（Ｂ）は、アンテナ構造体をアンテナケース部に組み付けた後の状態を示す斜視図である。
【図９】（Ａ）（Ｂ）は、本発明の第２の実施形態のアンテナ装置の組み立て工程を示す斜視図であり、（Ａ）は、アンテナ構造体をアンテナケース部に組み付ける前の状態を示す斜視図、（Ｂ）は、アンテナ構造体をアンテナケース部に組み付けた後の状態を示す斜視図である。
【図１０】（Ａ）（Ｂ）は、本発明の第３の実施形態のアンテナ装置の組み立て工程を示す斜視図であり、（Ａ）は、アンテナ構造体をアンテナケース部に組み付ける前の状態を示す斜視図、（Ｂ）は、アンテナ構造体をアンテナケース部に組み付けた後の状態を示す斜視図である。
【図１１】（Ａ）（Ｂ）は、本発明の第４の実施形態のアンテナ装置の組み立て工程を示す斜視図であり、（Ａ）は、アンテナ構造体をアンテナケース部に組み付ける前の状態を示す斜視図、（Ｂ）は、アンテナ構造体をアンテナケース部に組み付けた後の状態を示す斜視図である。
【図１２】本発明の第５の実施形態の腕時計の内部構造を示す断面図である。
【符号の説明】
【０１１１】
１      文字板
２      時計ケース
３      モジュールハウジング
４      裏蓋
５      アンテナ構造体
１０      アンテナ装置
１５      アンテナケース部
１６      延出部収納部
１７      巻き線収納部
３１      回路基板
３２      受信回路
３４      指針軸
３５      指針
３６      アンテナ接続電極
５１      コア
５２      コアケース部
５３      コイル
５５      直状部
５６      延出部
５７      巻き線部
５８      延出部保持部
７５      磁性シート配置溝
７６      磁性シート
８５      切り欠き部
８６      磁性部材配置溝
８７      磁性部材
９１      文字板側ケース部
９３      基板側ケース部
１００      腕時計（電子機器）
【図１】
2008141387.tif 000003
【図２】
2008141387.tif 000004
【図３】
2008141387.tif 000005
【図４】
2008141387.tif 000006
【図５】
2008141387.tif 000007
【図６】
2008141387.tif 000008
【図７】
2008141387.tif 000009
【図８】
2008141387.tif 000010
【図９】
2008141387.tif 000011
【図１０】
2008141387.tif 000012
【図１１】
2008141387.tif 000013
【図１２】
2008141387.tif 000014